(57)【要約】【課題】  火災感知器には、管理を行うための個々を識別するための識別情報に加えて、火災感知器の感度試験を行う際に必要な初期感度電圧を火災感知器に貼付される銘板に印刷したり、火災感知器が有する記憶媒体に格納したりしなければならなかった。【解決手段】  火災感知器２０を取り付けて、前記火災感知器２０の感度を試験する感度試験器１０と、前記感度試験器１０が感度試験を行うための基準情報を有する支援装置５０と、を備え、前記感度試験器１０は、感度試験を行うときに前記支援装置５０から前記基準情報を取得する。【選択図】図２
2018063533.tif 000002
【特許請求の範囲】
【請求項１】
火災感知器を接続して、前記火災感知器の感度を試験する感度試験器と、
前記感度試験器が感度試験を行うための基準情報を有する支援装置と、を備え、
前記感度試験器は、感度試験を行うときに前記支援装置から前記基準情報を取得することを特徴とする点検支援システム。
【請求項２】
前記感度試験器は、前記火災感知器の設置情報が入力されると該設置情報を前記支援装置に送信し、また、前記火災感知器の感度試験を行うと感度試験情報を前記支援装置に送信し、
前記支援装置は、前記火災感知器の製造情報と、前記設置情報と、前記感度試験情報を感知器情報として格納し、前記感知器情報に基づき前記火災感知器の交換時期を決定することを特徴とする請求項１に記載の点検支援システム。
【請求項３】
前記支援装置は、
前記製造情報の１つである前記火災感知器の製造日に所定期間を追加した日付、
前記製造日に前記製造情報の１つである前記火災感知器に使用されている部品の保管期間を加味した日付、
前記設置情報の１つである使用開始日に前記設置情報の１つである設置場所の温度または湿度のいずれか１つまたは両方に基づき使用部品の寿命時間を加味した日付、
前記使用開始日に基準期間に前記設置情報の１つである環境汚れ度に応じた係数を乗算した期間を加味した日付、
前記感度試験情報の１つである試験日と感度電圧の変化量に基づき感度電圧が異常となるおそれがある日付、
のいずれかの日付、または複数の組み合わせのうち直近の日付を交換時期とすることを特徴とする請求項２に記載の点検支援システム。
【請求項４】
前記支援装置は、前記交換時期を前記感度試験器に送信し、
前記感度試験器は、前記交換時期を表示することを特徴とする請求項３に記載の点検支援システム。
【請求項５】
前記支援装置は、交換対象情報作成が入力されると前記感知器情報に基づき交換が必要な前記火災感知器の交換情報または交換を推奨する前記火災感知器の交換推奨情報のいずれか一方あるいは両方を表示することを特徴とする請求項３または請求項４に記載の点検支援システム。
【請求項６】
前記交換情報または前記交換推奨情報は、ネットワークを介して接続される外部機器に出力し、外部機器で表示することを特徴とする請求項３〜５のいずれかに記載の点検支援システム。
【発明の詳細な説明】
【技術分野】
【０００１】
本発明は、火災感知器の点検を支援する点検支援システムに関する。
【背景技術】
【０００２】
火災感知器、例えば煙感知器は、火災判定部に入力された検出出力電圧が、発報閾値を超えると、スイッチング回路がオンして火災発報する。
火災感知器は、経年変化によって火災検出部の汚れ、回路の劣化等によって、ノイズ出力電圧が変化するので、点検時に加煙による作動試験の他に、一定期間ごとに感度試験器により、感度試験を行うことが義務付けられている。
【０００３】
無煙時の火災判定部の検出出力電圧（ノイズ出力電圧）は、火災感知器毎に異なるので製造時に感度試験器によって感度を測定し、発報閾値とノイズ出力電圧との差分を測定し、この差分を初期感度電圧として火災感知器に貼付される銘板に記載するか、またはＩＣタグや火災感知器のメモリ等の記憶媒体に格納している。
【０００４】
感度試験を行うときには、警戒区域に設置されている火災感知器をベースから取り外し、感度試験器の測定用ベースに取り付け、試験年月日、火災感知器の機種名、製造番号を入力し、さらに初期感度電圧を入力するか、それらの情報を記憶媒体から読み込んで試験を開始する。
感度試験器は、火災感知器の火災判定部に入力された検出出力電圧（ノイズ出力電圧）に、試験電圧の電圧レベルを予め設定された一定範囲（例えば１．４Ｖ〜１．８Ｖ）でスイープさせながら重畳し、火災発報したときの試験電圧を感度電圧とする。そして、感度電圧が、初期感度電圧に対して所定の電圧範囲（合格基準範囲、たとえば、初期感度電圧±２０％）であれば、その火災感知器が正常であると判断し、感度電圧が合格基準範囲外であれば、その火災感知器が異常であると判断する。
そして、試験年月日、機種名、製造番号、初期感度電圧とともに、試験結果が感度試験器のプリンタ用紙に記録される。点検作業員は、火災感知器が正常であれば、火災感知器をベースに再び取り付け、異常であれば交換する（特許文献１参照）。
【先行技術文献】
【特許文献】
【０００５】
【特許文献１】特開２００９−１６９８１９号公報
【発明の概要】
【発明が解決しようとする課題】
【０００６】
近年では、個々の火災感知器の機種名、製造年月日、使用されている部品のロット番号等とともに初期感度電圧をサーバで管理している。火災感知器には、管理を行うための個々を識別するための識別情報（例えば、製造番号）に加えて、火災感知器の感度試験を行う際に必要な初期感度電圧を火災感知器に貼付される銘板に印刷したり、火災感知器が有する記憶媒体に格納したりしなければならなかった。
そのため、個々の火災感知器で異なる複数の情報を個々の火災感知器に印刷したり、記憶媒体に格納したりしなければならず製造作業が非効率的であった。
また、火災感知器の銘板は、美観を損なわないように火災感知器をベースに取り付けたときに設置面側となる火災感知器の背面に貼付されている。そのため、火災感知器の情報が銘板に記載されている場合、その情報は火災感知器を感度試験器に取り付けると見ることができないので、感度試験器への入力に手間がかかったり、入力ミスが発生して正しい試験ができなかったりして、点検作業が非効率的であった。また、点検結果を有効に利用するためには点検作業員が管理システムに入力を行わなければならなかった。
【課題を解決するための手段】
【０００７】
本発明に係る点検支援システムは、火災感知器を取り付けて、前記火災感知器の感度を試験する感度試験器と、前記感度試験器が感度試験を行うための基準情報を有する支援装置を備え、前記感度試験器は、感度試験をおこなうときに前記支援装置から前記基準情報を取得することを特徴とする。
【発明の効果】
【０００８】
本発明によれば、感度試験を行うための基準情報を感知器の個々に記載したり、記憶させたりする必要がないので製造作業が容易になる。また、感度試験器に基準情報を入力する必要がないので点検作業が容易になる。また、点検作業を行うときに感知器の交換時期がわかる。また、点検前に交換が必要な感知器の個数や設置場所がわかるため交換作業が容易になる。
【図面の簡単な説明】
【０００９】
【図１】点検支援システムの構成を示す図。
【図２】感度試験の動作を示す図。
【図３】感度試験器の感度試験時の表示を示す図。
【図４】交換対象情報の作成の動作を示す図。
【図５】支援装置の交換対象情報作成時の表示を示す図。
【発明を実施するための形態】
【００１０】
（実施形態）
図１は、本発明の実施の形態に係る点検支援システムの構成の一例を示す図である。
点検支援システム１は、感度試験器１０と支援装置５０で構成される。感度試験器１０と支援装置５０は、インターネット等のネットワークを介して接続されている。
＜感度試験器１０の構成＞
感度試験器１０は、接続部１１、識別部１２、試験器送信部１３、試験器受信部１４、試験器表示部１５、試験部１６および試験器入力部１７を備える。
【００１１】
接続部１１は、図示しない２つの刃受金具を有し、火災感知器２０（以下、感知器２０と呼ぶ）の取り付け面である背面に設けた刃金具とかみ合って感知器２０を保持することで、感度試験器１０に感知器２０が接続される。そして、接続部１１は、刃受金具と刃金具を介して感知器２０に電力を供給すると感知器２０が接続されたことを検知し、感知器２０が火災発報した際には火災発報信号を受信する。また、接続部１１は、図示しない試験端子を有し、感知器２０の試験入力端子に接触して、試験電圧を感知器２０に入力する。
【００１２】
識別部１２は、感知器２０から感知器２０の個々に付与された識別情報を読み込む。識別情報がバーコード、ＱＲコード（登録商標）、番号または記号等で銘板に記載されているものの場合、識別部１２は図示しないカメラによって、識別情報を取得する。なお、カメラは、接続部１１に感知器２０を保持させたときに感知器２０の背面に貼付されている銘板に記載された識別情報を撮影できる位置に設けられている。また、識別情報が記憶媒体に格納されているものの場合は、識別部１２は接続部１１を介して、感知器２０に読み出し信号を送信して、感知器２０から識別情報を読み出して識別情報を取得する。
なお、本実施の形態においては、識別情報が銘板に記載されている場合を例に説明する。
【００１３】
試験器送信部１３は、インターネット等のネットワークを介して、支援装置５０に識別部１２が取得した識別情報等の情報を送信する。
試験器受信部１４は、ネットワークを介して、支援装置５０から送信される初期感度電圧等の感知器情報を受信する。
試験器表示部１５は、ＬＣＤ等の表示装置で構成され、感知器２０の識別情報や支援装置５０から受信した感知器情報等を表示する。
【００１４】
試験部１６は、接続部１１を介して感知器２０に入力する試験電圧を変化させ、感知器２０が火災発報したときに入力した試験電圧を感度電圧として、初期感度電圧と比較し、感知器２０が正常であるか異常であるかを判定する。
試験器入力部１７は、感知器２０の設置時または点検時に感知器情報の一部を入力する。なお、本実施の形態においては、試験器表示部１５とタッチパネルセンサの組み合わせによるソフトウェアスイッチを例に説明するが、メカニカルスイッチとしてもよいし、キーボード等の外部入力機器を接続できるようにしてもよい。
【００１５】
＜支援装置５０の構成＞
支援装置５０は、記憶部５１、支援装置受信部５２、情報処理部５３、支援装置送信部５４、支援装置表示部５５および支援装置入力部５６を備える。
【００１６】
記憶部５１は、感知器２０の個々に関する感知器情報を識別情報に関連付けてメモリ等の記憶媒体に格納している。
感知器情報は、感知器２０の製造時に記憶部５１に格納される製造情報である「製造日」、「機種名」、「使用部品」および感度試験を行うときの基準情報でもある「初期感度電圧」と、感知器２０の設置時または点検時に記憶部５１に格納される設置情報である「物件名」、「設置場所」、「使用開始日」、「平均温度」、「平均湿度」、「気温差」、「湿度差」および「環境汚れ度」と、感知器の点検時に記憶部５１に格納される感度試験情報である「感度電圧」、「試験日」および「試験結果」である。
製造情報は、製造段階の各工程において記憶部５１に格納される。例えば「使用部品」はプリント基板への部品実装時に、「初期感度電圧」は部品が実装されたプリント基板の検査時に、そして「製造日」、「機種名」については感知器２０の組み立てが完了して銘板を印刷して貼付する時に格納される。各製造情報と識別情報との関連付けは、プリント基板に識別情報を付与して製造工程の最初から一貫して関連付けてもよいし、プリント基板の個々に仮識別情報を付与しておいて、感知器２０の組み立てが完了したときに仮識別情報と識別情報を関連付けるようにしてもよく、様々な方法をとることができる。
ここで、「使用部品」には、例えば電解コンデンサのように有限寿命部品の製造日やロット番号等の寿命の判断等に利用できる情報が格納されている。また、「環境汚れ度」には、感知器２０の設置場所における埃やチリ、油蒸気、たばこ煙等の感知器２０の火災検出部を汚す可能性について１〜１０等のレベルが格納されている。また、「感度電圧」、「試験日」および「試験結果」は、過去複数回分を履歴として格納している。
【００１７】
支援装置受信部５２は、ネットワークを介して感知器２０から送信される識別情報や試験器入力部１７で入力された感知器情報の一部を受信する。
情報処理部５３は、感知器２０から取得した感知器情報の一部を識別情報に関連付けて記憶部５１に格納する。また、情報処理部５３は、感知器２０から取得した識別情報に対応する感知器情報を記憶部５１から読み込み、その感知器２０の交換時期を決定する。
【００１８】
支援装置送信部５４は、情報処理部５３が読み込んだ感知器情報と交換時期を、ネットワークを介して感度試験器１０に送信する。
支援装置表示部５５は、ＬＣＤ等の表示装置で構成され、記憶部５１に格納されている感知器情報等を表示する。
支援装置入力部５６は、試験器入力部１７と同様な入力機能を有し、支援装置表示部５５に表示する情報を指定する入力を行う。
【００１９】
＜感度試験の動作＞
図２は、点検時に感度試験を行うときの点検支援システム１の動作を示す図である。図２に基づき、感度試験を行うときの点検支援システム１の動作について説明する。
感度試験器１０は、感知器２０が接続されるのを待つ（Ｓ０１）。接続部１１は、感知器２０が接続されると感知器２０に電源を供給し、電流が流れたことを検出すると感知器２０が接続されたことを検知する（Ｓ０２）。識別部１２は、接続部１１が感知器２０の接続を検知すると、カメラによって感知器２０の銘板に記載されている識別情報を撮影し、その画像情報を解析して識別情報を取得する（Ｓ０３）。
試験器送信部１３は、ネットワークを介して、支援装置５０に識別部１２が取得した識別情報を送信する（Ｓ０４）。
【００２０】
支援装置５０は、支援装置受信部５２が識別情報を受信すると、受信した識別情報に関連付けられた感知器情報を情報処理部５３が記憶部５１からを読み込む（Ｓ０５）。支援装置送信部５４は、情報処理部５３から感知器情報を受け取り、感度試験器１０に送信する（Ｓ０６）。
【００２１】
感度試験器１０は、試験器受信部１４で支援装置５０から感知器情報を受信すると試験器表示部１５に感知器情報を表示する（Ｓ０７）。このとき、接続されている感知器２０の識別情報と受信した感知器情報に含まれる識別情報とが一致したときに感知器情報を表示するようにすると、感度試験器１０に接続されている感知器２０を交換されていた場合に異なる感知器２０の感知器情報を表示することがない。
【００２２】
図３は、感度試験器１０の感度試験時の試験器表示部１５の表示を示す図である。
図３（ａ）は、感度試験器１０に接続された感知器２０がこれから設置されるものである場合の試験器表示部１５ａである。図３（ａ）においては、支援装置５０の記憶部５１に製造時の各工程において格納される情報しか格納されていないため、製造情報の「識別情報」、「製造日」、「機種名」、「初期感度電圧」の情報しか表示していない。設置情報の「物件名」、「設置場所」等の表示エリアは試験器入力部１７となっており、タッチ操作すると、その項目の入力に適した文字入力キーボードやドロップダウンリストが表示され、感知器情報を入力することができる。なお、十字キー、決定ボタン、文字入力キーボード等のソフトウェアスイッチを別途設けて、感知器情報を入力するようにしてもよい。
【００２３】
試験器入力部１７は、随時入力を受け付けていて感知器情報が入力されると（Ｓ０８）、試験器送信部１３が入力された感知器情報を支援装置５０に送信する（Ｓ０９）。図３（ｂ）は、設置情報を入力した状態の試験器表示部１５ｂである。支援装置５０は、感知器情報を支援装置受信部５２で受信すると、情報処理部５３が記憶部５１に受信した感知器情報を格納する（Ｓ１０）。なお、感度試験器１０に接続された感知器２０が既に設置済みのものであり、全ての感知器情報が入力されている場合は、設置情報に関する感知器情報が記憶部５１に格納されている。そのため、ステップＳ０６で送信される感知器情報に設置情報である「物件名」等が含まれるため、ステップＳ０８〜ステップＳ１０が省略され、感知器情報を受信したときに図３（ｂ）の試験器表示部１５ｂが表示される。
【００２４】
感度試験器１０の試験部１６は、接続部１１の試験端子を介して感知器２０に試験電圧を入力して感知器２０の感度試験を行う。試験部１６は、試験端子に入力する試験電圧を例えば、１．４Ｖから０．１Ｖ刻みで１．８Ｖまで順に入力する。そして、感知器２０が火災発報して２つの刃金具間の電圧を略短絡させて火災発報信号を送信すると、そのとき試験端子に入力している電圧を感度電圧と判断する。試験部１６は、感度電圧と支援装置５０から受信した基準情報である初期感度電圧とを比較して、例えば感度電圧が初期感度電圧の２０％未満の電圧範囲であれば正常、２０％以上の電圧範囲であれば異常と判断し（Ｓ１１）、その結果を試験器表示部１５に表示する（Ｓ１２）。図３（ｃ）は、試験結果を表示した状態の試験器表示部１５ｃである。そして、試験部１６は、試験器送信部１３を介して感度電圧と試験日と試験結果からなる感度試験情報を支援装置５０に送信する（Ｓ１３）。支援装置５０は、感度試験情報を受信すると情報処理部５３が記憶部５１に感度試験情報の履歴を感知器情報として格納する（Ｓ１４）。
【００２５】
支援装置５０の情報処理部５３は、記憶部５１に格納されている感知器情報に基づき感知器２０の交換時期を決定する（Ｓ１５）。交換時期は、以下をそれぞれ算出して、そのうち直近の日付を交換時期とする。算出Ａとして、製造日に所定期間（例えば２０年）を追加した日付を算出する。算出Ｂとして、製造日に使用部品の保管期間を加味した日付を算出する。算出Ｃとして、使用開始日に設置場所の温度や湿度等の情報に基づき使用部品の寿命時間を加味した日付を算出する。算出Ｄとして、使用開始日に感知器２０を汚すおそれがないときの感知器２０の使用期限である基準期間（例えば２５年）に環境汚れ度に応じた係数（例えば、１−０．０５×汚れ度）を乗算した期間を加味した日付を算出する。算出Ｅとして、感度試験情報から過去の試験日と感度電圧の変化量に基づき、感度電圧が異常となるおそれがある日付を算出する。
【００２６】
情報処理部５３は、決定した交換時期情報を、支援装置送信部５４を介して、感度試験器１０に送信する（Ｓ１６）。交換時期情報を受信した感度試験器１０は、試験器表示部１５に交換時期を表示する（Ｓ１７）。図３（ｄ）は、交換時期を表示した状態の試験器表示部１５ｄである。
【００２７】
＜交換対象情報作成動作＞
点検作業員は、感度試験を行う物件に設置されている感知器２０のうち、交換が必要なものの数やその設置場所情報をあらかじめ支援装置５０で作成することで、感知器２０の交換を効率よく行うことができる。
図４は、交換対象情報である交換情報および交換推奨情報を作成するときの点検支援システム１の動作を示す図である。また、図５は、支援装置の交換情報および交換推奨情報作成時の支援装置表示部５５の表示を示す図である。図４および図５に基づき、交換対象情報を作成するときの点検支援システム１の動作について説明する。
支援装置表示部５５は、点検情報の「物件名」および「点検予定日」の表示エリアおよびその右隣の「交換対象情報作成」の部分が支援装置入力部５６となっており、感度試験器１０の試験器表示部１５と同様にタッチ操作で情報を入力することができる。
【００２８】
支援装置５０は、支援装置入力部５６に交換対象情報作成を入力されるのを待つ（Ｓ５１）。具体的には、支援装置入力部５６の「物件名」および「点検予定日」が入力され、「交換対象情報作成」ボタンが押されるのを待つ。交換対象情報作成が入力されると、情報処理部５３は、入力された点検物件の「物件名」を含む感知器２０の感知器情報を読み込み（Ｓ５２）、それぞれの感知器２０について、交換時期を決定する（Ｓ５３）。なお、交換時期の決定は、前述の通りであるので説明を省略する。
【００２９】
情報処理部５３は、ステップ５３で決定した交換時期のうち、ステップ５１およびステップ５２で入力された「点検予定日」を超えていて交換が必要な感知器２０の個数と、そのそれぞれの感知器情報を交換情報として作成する（Ｓ５４）。また、交換時期が「点検予定日」を超えてはいないが近く交換を推奨する感知器２０の個数と、そのそれぞれの感知器情報を交換推奨情報として作成する（Ｓ５５）。支援装置表示部５５は、交換情報および交換推奨情報を表示する（Ｓ５６）。
【００３０】
以上説明した本実施形態によれば、感知器２０の感度試験を行うときに、感度試験を行うための基準情報である初期感度電圧を支援装置５０から取得できる。その結果、感知器２０の個々に初期感度電圧の情報を銘板に記載したり、記憶媒体に格納したりする必要がなく、製造行程を減らすことができ製造作業が容易になる。また、点検時に点検作業員が感度試験器に初期感度電圧を入力する必要がないため、入力の手間や入力ミスが発生しないので点検行程を減らすことができ、点検作業が容易になる。また、感知器２０の感度試験を行ったときに交換時期がわかるので、交換時期までの期間が短い場合に感知器２０を交換して、感知器２０に不具合が発生するおそれを回避することができる。
【００３１】
また、点検前に交換が必要な感知器２０の個数と設置場所がわかるため、交換用の感知器２０の準備と感知器２０の交換作業を容易に行うことができる。また、交換推奨の感知器２０の個数と設置場所がわかるため、交換時期までの期間が短い場合に感知器２０を交換して、感知器２０に不具合が発生するおそれを回避することができる。
【００３２】
上記の実施形態は下記の様に変形してもよい。また、下記の変形例は他の１以上の変形例と組み合わせてもよい。
＜変形例１＞
支援装置５０の支援装置表示部５５および支援装置入力部５６をスマートフォンや情報処理装置等の外部機器に設け、支援装置５０にネットワークを介して接続して、交換が必要な感知器２０の情報や交換を推奨する感知器２０の情報を外部機器に出力して、外部機器で表示するようにしてもよい。
【００３３】
＜変形例２＞
上記の実施形態では、点検を行う「物件名」と「点検予定日」を指定して交換情報や交換推奨情報を作成したが、「物件名」を指定せず「点検予定日」に代えて「生産日予定」を指定することで、「生産日予定日」における全ての感知器２０の交換数や交換推奨数を算出するようにしてもよい。これにより、感知器２０の生産計画に交換用の個数を加味することができる。
【００３４】
＜変形例３＞
上記の実施形態では、支援装置５０が算出Ａ〜算出Ｅに基づき交換時期を決定しているが、算出Ａ〜算出Ｅのいずれか１つまたはそのうちの複数の組み合わせにより交換時期を決定するようにしてもよい。その場合に、記憶部５１に格納する感知器情報は、算出に必要な情報のみとすることができ、感度試験器１０から必要な設置情報のみを入力するようにしてもよい。
【００３５】
＜変形例４＞
上記の実施形態では、支援装置５０が交換時期を決定しているが、感度試験器１０で交換時期を決定するようにしてもよい。
【００３６】
＜変形例５＞
上記の実施形態では、支援装置５０が交換情報と交換推奨情報の両方を作成して表示しているが、交換情報または交換推奨情報のいずれか一方のみを作成するようにしてもよい。
【００３７】
＜変形例６＞
上記の実施形態では、感度試験器１０で設置情報を入力したが、実際に感知器２０を火災状態する加熱・加煙試験器から設置情報を入力するようにしてもよい。本変形例においては、感度試験情報が支援装置５０の記憶部５１に格納されていないことがあり、その場合は感度試験情報に基づく算出Ｅを除く算出Ａ〜Ｄにより交換時期を決定する。
【符号の説明】
【００３８】
１  点検支援システム、１０  感度試験器、１１  接続部、１２  識別部、１３  試験器送信部、１４  試験器受信部、１５（１５ａ、１５ｂ、１５ｃ、１５ｄ）  試験器表示部、１６  試験部、１７  試験器入力部、２０  感知器、５０  支援装置、５１  記憶部、５２  支援装置受信部、５３  情報処理部、５４  支援装置送信部、５５  支援装置表示部、５６  支援装置入力部
【図１】
2018063533.tif 000003
【図２】
2018063533.tif 000004
【図３】
2018063533.tif 000005
【図４】
2018063533.tif 000006
【図５】
2018063533.tif 000007